【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
丁合束を作成する丁合モード、複数組の丁合束を１組ずつ取り出して印刷物の間に中入れする中入れモード、及び、丁合束を作成しこの丁合束を印刷物の間に中入れする丁合・中入れモードを実行するシステムであって、
複数種類の印刷紙を丁合して丁合束を作成し、前記丁合束を送り出す丁合動作を制御する第１の制御部と、
複数頁の印刷物を搬送し、前記送り出される前記丁合束を前記印刷物へ中入れする中入れ動作を制御する第２の制御部と、
第１の情報入出力部を含む複数の情報入出力部と、
を備え、
前記第１の制御部及び前記複数の情報入出力部は、リング状の通信路により接続され、
前記第１の制御部は、前記第１の情報入出力部を識別する第１の識別情報を含む第１の制御情報を送信し、
前記第１の情報入出力部は、前記第１の制御部と接続して前記リング状の通信路の一部を構成し、また、前記第２の制御部と接続し、前記第１の制御情報を受信し、前記第１の識別情報に基づき前記第１の制御情報を前記第２の制御部へ送信し、前記丁合・中入れモードの実行に対応して、前記第１の制御部が前記第２の制御部に対して動作指令に対応する前記第１の制御情報を出力し、前記第２の制御部は前記第１の制御部からの前記動作指令に基づき動作を制御し、前記印刷物に前記丁合束を中入れする制御システム。
【請求項２】
前記複数の情報入出力部は、第２及び第３の情報入出力部を含み、
前記第１の制御部は、前記第２の情報入出力部を識別する第２の識別情報を含む第２の制御情報を送信し、
前記第１の情報入出力部は、前記第２の制御情報を受信し、前記第２の識別情報に基づき前記第２の制御情報を送信し、
前記第２の情報入出力部は、前記第２及び第３の情報入出力部と接続して前記リング状の通信路の一部を構成し、また、第２の外部装置と接続し、前記第２の制御情報を受信し、前記第２の識別情報に基づき前記第２の制御情報を前記第２の外部装置へ送信する請求項１の制御システム。
【請求項３】
丁合束を作成する丁合モード、複数組の丁合束を１組ずつ取り出して印刷物の間に中入れする中入れモード、及び、丁合束を作成しこの丁合束を印刷物の間に中入れする丁合・中入れモードを実行するシステムであって、
複数種類の印刷紙を丁合して丁合束を作成し、前記丁合束を送り出す丁合動作を制御する第１の制御部と、
複数頁の印刷物を搬送し、前記送り出される前記丁合束を前記印刷物へ中入れする中入れ動作を制御する第２の制御部と、
を備え、
前記第１及び第２の制御部は、リング状の通信路により接続され、
前記第１の制御部は、前記第２の制御部を識別する第２の識別情報を含む第２の制御情報を送信し、前記第２の制御部は、前記第２の制御情報を受信し、前記第２の制御情報に基づき動作し、
前記第２の制御部は、前記第１の制御部を識別する第１の識別情報を含む第１の制御情報を送信し、前記第１の制御部は、前記第１の制御情報を受信し、前記第１の制御情報に基づき動作し、
前記丁合・中入れモードの実行に対応して、前記第１及び第２の制御部のうちの一方の制御部が他方の制御部に対して動作指令に対応する前記第１又は第２の制御情報を出力し、他方の制御部は一方からの前記動作指令に基づき動作を制御し前記印刷物に前記丁合束を中入れする制御システム。
【請求項４】
前記丁合束の作成動作に応じた情報を出力するエンコーダを備え、
前記第１の制御部は、前記エンコーダからの情報に基づくタイミングで、前記丁合束の送り出し動作を制御し、前記エンコーダからの情報に基づくタイミングで、前記第２の制御部に対して前記動作指令を出力し、
前記第２の制御部は、前記動作指令に基づき前記中入れ動作を制御する請求項３の制御システム。
【請求項５】
前記印刷物の取り出し動作に応じた情報を出力するエンコーダを備え、
前記第２の制御部は、前記エンコーダからの情報に基づくタイミングで、前記印刷物の開き及び搬送動作を制御し、前記エンコーダからの情報に基づくタイミングで、前記第１の制御部に対して前記動作指令を出力し、
前記第１の制御部は、前記動作指令に基づき前記丁合動作を制御する請求項３の制御システム。
【請求項６】
前記丁合束の作成動作に応じた情報を出力するエンコーダを備え、
前記第１の制御部は、前記エンコーダからの情報に基づくタイミングで、前記丁合束の送り出し動作を制御し、
前記第２の制御部は、前記エンコーダからの情報に基づくタイミングで、前記中入れ動作を制御する請求項３の制御システム。
【請求項７】
前記丁合動作の駆動源としての第１のインバータモータと、
前記中入れ動作の駆動源としての第２のインバータモータと、
を備え、
前記第１及び第２のインバータモータのうちの一方のインバータモータが他方のインバータモータに対して同期する請求項３の制御システム。
【手続補正２】
【補正対象書類名】明細書
【補正対象項目名】０１２３
【補正方法】変更
【補正の内容】
【０１２３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
以下、本願の原出願の出願当初の特許請求の範囲に記載された発明を付記する。
［Ｃ１］
複数種類の印刷紙を丁合して丁合束を作成し、前記丁合束を送り出す丁合動作を制御する第１の制御部と、
第１の情報入出力部を含む複数の情報入出力部と、
を備え、
前記第１の制御部及び前記複数の情報入出力部は、リング状の通信路により接続され、  前記第１の制御部は、前記第１の情報入出力部を識別する第１の識別情報を含む第１の制御情報を送信し、
前記第１の情報入出力部は、前記第１の制御部と接続して前記リング状の通信路の一部を構成し、また、第１の外部装置と接続し、前記第１の制御情報を受信し、前記第１の識別情報に基づき前記第１の制御情報を前記第１の外部装置へ送信する制御システム。
［Ｃ２］
前記複数の情報入出力部は、第２及び第３の情報入出力部を含み、
前記第１の制御部は、前記第２の情報入出力部を識別する第２の識別情報を含む第２の制御情報を送信し、
前記第１の情報入出力部は、前記第２の制御情報を受信し、前記第２の識別情報に基づき前記第２の制御情報を送信し、
前記第２の情報入出力部は、前記第２及び第３の情報入出力部と接続して前記リング状の通信路の一部を構成し、また、第２の外部装置と接続し、前記第２の制御情報を受信し、前記第２の識別情報に基づき前記第２の制御情報を前記第２の外部装置へ送信する［Ｃ１］の制御システム。
［Ｃ３］
前記第１の外部装置は、複数頁の印刷物を搬送し、前記送り出される前記丁合束を前記印刷物へ中入れする中入れ動作を制御する第２の制御部である［Ｃ１］又は［Ｃ２］の制御システム。
［Ｃ４］
前記第１及び第２の制御部のうちの一方の制御部が他方の制御部に対して動作指令を出力し、他方の制御部は一方からの前記動作指令に基づき動作を制御する［Ｃ３］の制御システム。
［Ｃ５］
複数種類の印刷紙を丁合して丁合束を作成し、前記丁合束を送り出す丁合動作を制御する第１の制御部と、
複数頁の印刷物を搬送し、前記送り出される前記丁合束を前記印刷物へ中入れする中入れ動作を制御する第２の制御部と、
を備え、
前記第１及び第２の制御部は、リング状の通信路により接続され、
前記第１の制御部は、前記第２の制御部を識別する第２の識別情報を含む第２の制御情報を送信し、前記第２の制御部は、前記第２の制御情報を受信し、前記第２の制御情報に基づき動作し、
前記第２の制御部は、前記第１の制御部を識別する第１の識別情報を含む第１の制御情報を送信し、前記第１の制御部は、前記第１の制御情報を受信し、前記第１の制御情報に基づき動作し、
前記第１及び第２の制御部のうちの一方の制御部が他方の制御部に対して動作指令を出力し、他方の制御部は一方からの前記動作指令に基づき動作を制御する制御システム。
［Ｃ６］
前記丁合束の作成動作に応じた情報を出力するエンコーダを備え、
前記第１の制御部は、前記エンコーダからの情報に基づくタイミングで、前記丁合束の送り出し動作を制御し、前記エンコーダからの情報に基づくタイミングで、前記第２の制御部に対して前記動作指令を出力し、
前記第２の制御部は、前記動作指令に基づき前記中入れ動作を制御する［Ｃ４］又は［Ｃ５］の制御システム。
［Ｃ７］
前記印刷物の取り出し動作に応じた情報を出力するエンコーダを備え、
前記第２の制御部は、前記エンコーダからの情報に基づくタイミングで、前記印刷物の開き及び搬送動作を制御し、前記エンコーダからの情報に基づくタイミングで、前記第１の制御部に対して前記動作指令を出力し、
前記第１の制御部は、前記動作指令に基づき前記丁合動作を制御する［Ｃ４］又は［Ｃ５］の制御システム。
［Ｃ８］
前記丁合束の作成動作に応じた情報を出力するエンコーダを備え、
前記第１の制御部は、前記エンコーダからの情報に基づくタイミングで、前記丁合束の送り出し動作を制御し、
前記第２の制御部は、前記エンコーダからの情報に基づくタイミングで、前記中入れ動作を制御する［Ｃ４］又は［Ｃ５］の制御システム。
［Ｃ９］
前記丁合動作の駆動源としての第１のインバータモータと、
前記中入れ動作の駆動源としての第２のインバータモータと、
を備え、
前記第１及び第２のインバータモータのうちの一方のインバータモータが他方のインバータモータに対して同期する［Ｃ４］又は［Ｃ５］の制御システム。